(57)【要約】【課題】上面部や表示部の傷付きを防止する操作釦を備えた携帯機器を提供する。【解決手段】操作釦４８によって操作されるタクトスイッチ５ａ、信号が入力される電気回路が配設された基板５をケース１に収容する。また、操作釦４８を、その側壁部４８ｂがケース１の釦開口部１ｃを貫通するように、かつ、その上面部４８ａがケース１の表面よりも突出するように設ける。この操作釦４８に、上面部４８ａと、上面部４８ａの周縁部全周に面取り状に形成された斜面部４８ｃとの間の範囲に傷受け部４８ｈを設け、外部部材との接触面積を小さくした。さらに、上面部４８ａを窪ませた凹部４８ｄに刻印４８ｅを設けた。【選択図】図３
2006156108.tif 000002
【特許請求の範囲】
【請求項１】
被操作部を収容し、釦開口部が設けられたケースと、
前記ケースの表面より突出した上面部と、前記釦開口部を貫通した側壁部とを有し、前記ケースに対して押し下げ、スライド又は回転することにより前記被操作部を操作する操作釦と、
前記上面部と、前記上面部の周縁部全周又はその一部に面取り状に形成された斜面部との間の範囲に設けられ、前記操作釦と外部部材との接触面積を小さくして傷を受ける傷受け部と、
を備えた携帯機器。
【請求項２】
被操作部を収容し、釦開口部が設けられたケースと、
前記ケースの表面より突出した上面部と、前記釦開口部を貫通した側壁部とを有し、前記ケースに対して押し下げ、スライド又は回転することにより前記被操作部を操作する操作釦と、
前記上面部と、前記上面部の周縁部全周又はその一部に形成された切り欠き部との間の範囲に設けられ、前記操作釦と外部部材との接触面積を小さくして傷を受ける傷受け部と、
を備えた携帯機器。
【請求項３】
請求項１又は請求項２に記載の携帯機器において、
前記操作釦は、
前記上面部を窪ませて形成された凹部と、
前記凹部の内表面に形成された表示部とを有していること、
を特徴とする携帯機器。
【発明の詳細な説明】
【技術分野】
【０００１】
本発明は、ケースの表面より突出した押し釦を備えた携帯機器に関するものである。
【背景技術】
【０００２】
従来から、カメラ、携帯電話等の携帯可能な電子機器は、その小型化が進められてきた。これら携帯機器は、取り扱いが容易になったこともあり、ユーザが携帯して屋外に外出する機会が増加し、また、屋内において携行する場合も多い。このような携帯機器の操作釦は、ユーザが操作しやすいように、ケースの上面よりも操作釦を突出させた形態のものが多い。また、通常、操作釦は、その上面の周縁部全周に、手ざわりを良くする等の理由から、Ｒ付けがされているものが多い（例えば、特許文献１）。
【０００３】
以下、図面等を用いて、従来技術による携帯機器の操作部の構造、動作について説明する。
図６は、従来技術による携帯機器の操作釦の縦断面を示す図である。
図６に示すように、従来の携帯機器は、ケース１０１と、操作釦１０２と、タクトスイッチ１０３と、基板１０４とを備えている。
ケース１０１は、携帯機器の外郭部であり、その釦開口部１０１ａに操作釦１０２が、貫通するように配置されている。操作釦１０２は、その上面部１０２ａがケース１０１の表面よりも突出し、また、その裏面部１０２ｂがタクトスイッチ１０３のノブ１０３ａの上面と接している。操作釦１０２の上面の周縁部１０２ｃには、上述した理由から、Ｒ付けがされている。タクトスイッチ１０３は、基板１０４に実装されている。基板１０４は、携帯機器の機能のために必要な電気回路等が配設されたリジットプリント基板である。
操作釦１０２の上面部１０２ａを押し下げることにより、タクトスイッチ１０３のノブ１０３ａが押し下げられ、タクトスイッチ１０３の内部に設けられた電気的接点（図示せず）がＯＮ又はＯＦＦとされ、信号が電気回路に入力される。
【０００４】
これらの携帯機器は、屋外で使用されるときには、例えばコンクリートからなる床に直に置かれる場合や、また、屋内で使用されるときにも、机の上に直に置かれ引きずられたりする場合がある。このような場合に、操作釦１０２が配置されている面が下側になると、操作釦１０２は、その上面部１０２ａがケース１０１の表面よりも突出しているので、上面部１０２ａに傷が付くという問題があった。さらに携行用のストラップに、金属製のアクセサリを取り付ける場合もあり、機器の携帯性が向上したが故に、操作釦１０２が傷を付けられる機会も多くなってきている。
特に、従来の操作釦１０２は、周縁部１０２ｃにＲ付けがされているので、コンクリートの床等の外部部材との接触する部分の面積が広かった。
さらに、操作釦１０２は、その上面部１０２ａに釦の機能を示すために、文字や記号が印刷、刻印されたものが多く、これらの印刷等が削れて操作釦の機能がわからなくなるという問題があった。
【特許文献１】特開２００１−３１２９４３号公報
【発明の開示】
【発明が解決しようとする課題】
【０００５】
本発明の課題は、上面部や表示部の傷付きを防止する操作釦を備えた携帯機器を提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、被操作部（５ａ等）を収容し、釦開口部（１ｃ）が設けられたケース（１）と、前記ケース（１）の表面より突出した上面部（４８ａ）と、前記釦開口部（１ｃ）を貫通した側壁部（４８ｂ）とを有し、前記ケース（１）に対して押し下げ、スライド又は回転することにより前記被操作部（５ａ等）を操作する操作釦（４８）と、前記上面部（４８ａ）と、前記上面部（４８ａ）の周縁部全周又はその一部に面取り状に形成された斜面部（４８ｃ）との間の範囲に設けられ、前記操作釦（４８）と外部部材との接触面積を小さくして傷を受ける傷受け部（４８ｈ）と、を備えた携帯機器である。
【０００７】
請求項２の発明は、被操作部（５ａ等）を収容し、釦開口部（１ｃ）が設けられたケース（１）と、前記ケース（１）の表面より突出した上面部（４８ａ）と、前記釦開口部（１ｃ）を貫通した側壁部（４８ｂ）とを有し、前記ケース（１）に対して押し下げ、スライド又は回転することにより前記被操作部（５ａ等）を操作する操作釦（４８）と、前記上面部（４８ａ）と、前記上面部（４８ａ）の周縁部全周又はその一部に形成された切り欠き部（４８ｉ）との間の範囲に設けられ、前記操作釦（４８）と外部部材との接触面積を小さくして傷を受ける傷受け部（４８ｍ）と、を備えた携帯機器である。
【０００８】
請求項３の発明は、請求項１又は請求項２に記載の携帯機器において、前記操作釦（４８）は、前記上面部（４８ａ）を窪ませて形成された凹部（４８ｄ）と、前記凹部（４８ｄ）の内表面に形成された表示部（４８ｅ）とを有していること、を特徴とする携帯機器である。
【発明の効果】
【０００９】
本発明によれば、以下の効果を奏することができる。
（１）本発明の携帯機器は、被操作部と、ケースと、操作釦とを備えている。被操作部は、ケースに収容されている。操作釦は、その上面部がケース表面よりも突出し、また、その側壁部がケースの釦開口部を貫通し、ケースに対して押し下げ、スライド又は回転することにより被操作部を操作する。また、操作釦は、上面部と、上面部の周縁部全周又はその一部に面取り状に形成された斜面部との間の範囲に設けられ、操作釦と外部部材との接触面積を小さくして傷を受ける傷受け部を備えている。このため、本発明の携帯機器は、操作釦が配置された面を下側にして、例えば床等の外部部材に置かれたときに、操作釦の傷受け部が、積極的に傷を受けるため、操作釦の表面に傷が付くことを防止することができる。
【００１０】
（２）本発明の携帯機器は、操作釦が、上面部の周縁部全周又はその一部に形成された切り欠き部との間の範囲に設けられ、操作釦と外部部材との接触面積を小さくして傷を受ける傷受け部を備えている。このため、（１）と同様に、操作釦の傷受け部が、積極的に傷を受けるため、操作釦の表面に傷が付くことを防止することができる。
【００１１】
（３）本発明の携帯機器は、操作釦が、例えば操作釦の機能等を示す印刷、刻印等の表示部を有している。表示部は、操作釦の上面部を窪ませて形成された凹部の内表面に形成されている。このため、本発明の携帯機器は、表示部が外部部材と接触することを防止でき、表示部の削れ等が防止できるので、操作釦の機能が不明瞭になることがない。
【発明を実施するための最良の形態】
【００１２】
本発明は、上面部や表示部の傷付きを防止する操作釦を備えた携帯機器を提供するという目的を、操作釦よって操作されるタクトスイッチ、信号が入力される電気回路が配設された基板をケースに収容し、また、操作釦を、その側壁部がケースの釦開口部を貫通するように、かつ、その上面部がケースの表面よりも突出するように設け、この操作釦の周縁部全周に傷受け部を設け、外部部材との接触面積を小さくし、さらに、上面部を窪ませた凹部に刻印を設けることによって実現した。
【実施例１】
【００１３】
以下、図面等を参照して、本発明の実施例をあげて、さらに詳しく説明する。
図１は、本発明を適用した携帯機器の実施例１の背面を示す図である。
実施例１の携帯機器は、レンズユニットや、インターネットにする機能を備えた携帯型情報端末（以下、「端末」という。）である。
図１に示すように、実施例１の端末はケース１と、ＬＣＤ２と、レンズユニット３と、スイッチ群４と、基板５とを備えている。
ケース１は、背面１ａと正面１ｂとが面積の大きい横長の直方体に形成されている。ケース１は、その背面１ａが操作面であり、後述するＬＣＤ２等が設けられている。また、正面１ｂには、後述するレンズユニット３が設けられている。
【００１４】
ＬＣＤ２（液晶表示ディスプレイ）は、後述するレンズユニット３の撮像画像や、スイッチ群４からの入力を表示する略正方形の表示装置である。ＬＣＤ２は、その面積がケース１の操作面の略半分を占める大きさであり、図１に示す左側に配置されている。
レンズユニット３は、被写体を撮影するための撮影光学系であり、ケース１の正面１ｂの略中央に配置されている。
【００１５】
スイッチ群４は、端末を操作するための押し釦あり、円柱状に形成された操作釦４１〜４９から構成される。スイッチ群４は、ケース１の操作面の図１に示す右側の範囲に設けられ、上下方向に３段、左右方向に３列に配置されている。スイッチ群４は、上段に、左側から右方向に、操作釦４１〜操作釦４３、同様に中段に、操作釦４４〜操作釦４６、下段に操作釦４７〜操作釦４９と配置されている。また、その表面部には、図１に示すように釦の機能や数字を示す刻印が設けられている。スイッチ群４の操作釦４１〜４９の形状については、後に詳述する。
基板５は、後述するタクトスイッチ５ａ、制御部７のＣＰＵ、記憶媒体部１０のフラッシュメモリ、各駆動回路に必要な部品等が実装されたリジットプリント基板である。基板５は、矩形状をしており、ケース１の内側に、左右方向にわたって延在している。
【００１６】
図２は、実施例１の端末のブロック図である。
実施例１の端末は、操作部６と、制御部７と、電源部８と、撮像部９と、記憶媒体部１０と、再生部１１と、送受信部１２とを備えている。
操作部６は、スイッチ群４（図１参照）と、スイッチ群４からの入力を処理する電気回路等を備えている。
制御部７は、操作部６等からの入力を統括して処理する例えばＣＰＵ（中央処理装置）とその周辺回路等を備えている。
電源部８は、端末に電力を供給する例えばリチウムイオン電池と、これを充電するために必要な回路等を備えている。電源部８の電力は、制御部７を介して必要に応じて、後述する撮像部９等に供給される。また、表面に「入」と刻印された操作釦４７、又は、「切」と刻印された操作釦４８の操作に応じて、操作部６の電気回路を介して制御部７から命令を受け、端末の電源を入切することができる。
【００１７】
撮像部９は、レンズユニット３（図１参照）と、撮像面に結像された像を光電変換するＣＣＤ（電荷結合素子）等の撮像素子と、これの駆動回路と、画像処理回路等を備えている。撮像部９により撮影された画像データは、ＬＣＤ２に表示されたり、制御部７を介して後述する記憶媒体部１０に記録される。
記憶媒体部１０は、フラッシュメモリ等の記憶媒体であり、上述した画像データの他、画像データ等を後述する送受信部１２を介して送受信する送信受先のメールアドレス等を記憶している。
再生部１１は、記憶媒体部１０に記憶した画像データ等を再生するＬＣＤ２と、これを駆動するための駆動回路等を備えている。例えば、記憶媒体部１０のデータを再生するときは、操作部６の入力に応じて制御部７が、記憶媒体部１０のデータをＬＣＤ２に表示する。
送受信部１２は、データを他の端末に送信したり、他の端末から受信するための高周波回路とアンテナ等を備えている。例えば、データを他の端末に送信するときは、操作部６からの入力に応じて制御部７が、記憶媒体部１０のデータを送受信部１２を経由して送信する。
【００１８】
図３は、図１のＩＩＩ―ＩＩＩ部断面を示す図であり、操作釦４８等の縦断面を示す。
図３に示すように、実施例１の端末は、ＩＩＩ―ＩＩＩ部断面部に、ケース１と、操作釦４８と
、前述した基板５と、タクトスイッチ５ａとを備えている。
操作釦４８は、円柱状に形成された押し釦であり、その縦断面に上面部４８ａと、側壁部４８ｂと、斜面部４８ｃと、凹部４８ｄと、刻印４８ｅ（表示部）と、フランジ部４８ｆと、裏面部４８ｇとを有している。
上面部４８ａは、ケース１の表面よりも突出するように設けられている。側壁部４８ｂは、ケースに設けられた釦開口部１ｃを貫通している。斜面部４８ｃは、上面部４８ａと側壁部４８ｂとの間の範囲に、上面部４８ａの周縁部全周に面取り状に設けられている。
凹部４８ｄは、上面部４８ａを窪ませて形成された凹部である。刻印４８ｅは、凹部４８ｄの内表面であって、その底部の表面に釦の機能を表示すために設けられた刻印であり、端末を操作面側からみる「切」と表示されている（図１参照）。
フランジ部４８ｆは、操作釦４８が釦開口部１ｃから抜けないために設けられたストッパであり、側壁部４８ｂの後述する裏面部４８ｇ側の端部全周から、外側に向けて設けられている。また、フランジ部４８ｆは、静電気が入り込むことを防止して基板５に実装された電気部品が破壊しないように保護し、さらに、異物がケース１の内側に入り込むことを防止している。
裏面部４８ｇは、円柱状に形成された操作釦４８の底面である。
【００１９】
また、操作釦４８は、上面部４８ａの周縁部全周であって、上面部４８ａと斜面部４８ｃとの間の範囲に設けられた角部が、端末を例えば床等（外部部材）に置いた状態において、操作釦４８と床等との接触面積を小さくして傷を受ける傷受け部４８ｈを形成している。このため、操作釦４８の上面部４８ａに傷が付くことを防止することができる。また、刻印４８ｅは、上面部４８ａを窪ませた凹部４８ｄの内表面に設けられているので、床等との接触を防止する効果がさらに高く、刻印４８ｅが削れて操作釦４８の機能が不明瞭になることを防止することができる。
【００２０】
タクトスイッチ５ａは、内部に電気的接点（図示せず）を備えた電気部品である。タクトスイッチ５ａは、基板５に実装され、また、操作釦４８の裏面部４８ｇと接している。操作釦４８の上面部４８ａを、ケース１に対して押し下げることによって、ノブ５ｂが押し下げられ、電気的接点がＯＮ又はＯＦＦとされ、信号が基板５に配設された電気回路に入力される。タクトスイッチ５ａと、基板５に配設された電気回路等は、操作釦４８のよって操作される被操作部である。
なお、他の操作釦４１〜４７，４９は、操作釦４８と同様な形状であり、操作釦４８と同様に、上面部への傷を防止することができる。
【００２１】
以上説明したように、実施例１の端末は、基板５に配設されたタクトスイッチ５ａと電気回路等（被操作部）が、ケース１に収容されている。操作釦４１〜４９は、同様な形状をしており、例えば、操作釦４８は、その上面部４８ａがケース１の表面よりも突出し、また、その側壁部４８ｂがケース１の釦開口部１ｃを貫通している。端末は、上面部４８ａがケース１に対して押し下げられることによって、タクトスイッチ５ａが操作され、電気回路に信号が入力される。そして、操作釦４８には、傷受け部４８ｈが設けられている。傷受け部４８ｈは、上面部４８ａと、上面部４８ａの周縁部全周に面取り状に形成された斜面部４８ｃとの間の範囲に設けられ、操作釦４８と床等（外部部材）との接触面積を小さくしている。このため、実施例１の端末は、スイッチ群４が配置された面を下側にして、床等に置かれたときに、操作釦４８の傷受け部４８ｈが、積極的に傷を受けるため、操作釦４８の上面部４８ａに傷が付くことを防止することができる。
【００２２】
また、実施例１の端末は、操作釦４１〜４９が、釦の機能を示す刻印（表示部）を有している。例えば、操作釦４８の刻印４８ｅは、上面部４８ａを窪ませて形成された凹部４８ｄの内表面に形成されている。このため、実施例１の端末は、刻印が床等と接触することを防止でき、刻印の削れ等が防止できるので、操作釦４１〜４９の機能が不明瞭になることがない。
【実施例２】
【００２３】
次に、本発明を適用した端末の実施例２について説明する。
図４は、実施例２の端末の操作釦４８等の縦断面を示す図である。なお、以下の説明において、前述した実施例１と同様の機能を果たす部分には、同一の符号を付して、重複する説明を適宜省略する。また、実施例２の端末は、実施例１の端末におけるスイッチ群４の操作釦４１〜４９の断面形状を変更した端末であるため、その１つである操作釦４８についてのみ説明する。
【００２４】
実施例２の操作釦４８は、実施例１の操作釦４８の上面部４８ａの周縁部全周に切り欠き部４８ｉが設けられた押し釦である。
切り欠き部４８ｉは、溝部４８ｊと、平面部４８ｋとを有している。
溝部４８ｊは、上面部４８ａの周縁部全周の範囲を、その裏面部４８ｇ側に窪ませて形成された有底の溝である。平面部４８ｋは、溝部４８ｊの外側の側壁上端部から外側に斜面部４８ｃまで延設された、上面部４８ａに対して平行な円環状の平面である。
また、操作釦４８は、上面部４８ａの周縁部全周であって、上面部４８ａと切り欠き部４８ｉとの間の範囲に設けられた角部が、端末を例えば床等（外部部材）に置いた状態において、操作釦４８と床等との接触面積を小さくして傷を受ける傷受け部４８ｍを形成している。傷受け部４８ｍは、実施例１の傷受け部４８ｈ（図３参照）よりも突出した形状であるため、床等とさらに積極的に接触し、上面部４８ａに傷が付くことを防止することができる。
【実施例３】
【００２５】
次に、本発明を適用した端末の実施例３について説明する。
図５は、実施例３の端末を示す図である。図５（ａ）は、端末の背面を示す図であり、図５（ｂ）は、端末をスイッチ群４が配置された面を下にして机の平面(外部部材)の上に置いた状態を示す図である。
実施例３の端末は、実施例１の端末の操作面に２つの小突起１３と、吊紐通し１４と、吊紐１５とを設けた端末である。
小突起１３は、端末の操作面の図５（ａ）に示す左上端と左下端とに、操作面から突出するように設けられた円柱状の突起物である。小突起１３の高さは、スイッチ群４の操作釦４１〜４９よりも高く設定されている。
吊紐通し１４は、端末を携帯するときに用いる吊紐１５、いわゆるハンドストラップを取り付けるために、操作面の右下端に設けられた円柱状の突起物である。吊紐通し１４の高さは、小突起１３よりも高く設定されている。吊紐通し１４は、その側面に貫通孔１４ａを有しており、これに吊紐１５が通される。
図５（ｂ）に示すように、端末を机等の平面に置いた状態で、小突起１３と吊紐通し１４は、スイッチ群４の操作釦４１〜４９が、平面に接触することを防止している。これによって、操作釦４１〜４９の上面部への傷防止効果をより向上することができる。
【００２６】
（変形例）
以上説明した実施例に限定されることなく、種々の変形や変更が可能であって、それらも本発明の均等の範囲内である。
（１）各実施例において、操作釦４１〜４９を、ケース１に対して押し下げることによって、タクトスイッチ５ａの接点を、ＯＮ又はＯＦＦとする例を示したが、これに限定されない。例えば、操作釦をケースに対してスライド又は回転することによって、音声出力を調整する可変抵抗器等を操作してもよい。
【００２７】
（２）各実施例において、操作釦４８の傷受け部４８ｈ，４８ｍを、上面部４８ａの周縁部全周に設けた例を示したが、これに限定されない。例えば、操作釦を上下左右に十字型に配置した、いわゆる選択キー等の場合は、操作釦の上面部の周縁部であって外部部材と接しやすい一部の場所に傷受け部を設けてもよい。
【００２８】
（３）各実施例において、操作釦の凹部に設けられた表示部は刻印である例を示したが、これに限定されない。例えば、シルク印刷等の印刷でもよい。
【図面の簡単な説明】
【００２９】
【図１】本発明の実施例１による端末の操作面を示す図である。
【図２】本発明の実施例１による端末のブロック図である。
【図３】本発明の実施例１による端末の操作釦の縦断面を示す図である。
【図４】本発明の実施例２による端末の操作釦の縦断面を示す図である。
【図５】本発明の実施例３による端末を示す図である。
【図６】従来技術による端末の操作釦の縦断面を示す図である。
【符号の説明】
【００３０】
１    ケース
２    ＬＣＤ
３    レンズユニット
４    スイッチ群
４１〜４９    操作釦
５    基板
５ａ    タクトスイッチ
６    操作部
７    制御部
８    電源部
９    撮像部
１０    記憶媒体部
１１    再生部
１２    送受信部
１３    小突起
１４    吊紐通し
１５    吊紐
４８ａ    上面部
４８ｂ    側壁部
４８ｃ    斜面部
４８ｄ    凹部
４８ｅ    刻印
４８ｆ    フランジ部
４８ｇ    裏面部
４８ｈ    傷受け部
４８ｉ    切り欠き部
４８ｊ    溝部
４８ｋ    平面部
４８ｍ    傷受け部
１０１    ケース
１０２    操作釦
１０３    タクトスイッチ
１０４    基板
【図１】
2006156108.tif 000003
【図２】
2006156108.tif 000004
【図３】
2006156108.tif 000005
【図４】
2006156108.tif 000006
【図５】
2006156108.tif 000007
【図６】
2006156108.tif 000008